(57)【特許請求の範囲】
【請求項１】
圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる循環ポンプ、及び前記循環ポンプで循環される水が流れる前記水熱交換器のパイプで構成された水加熱器を水配管で接続して構成する水循環回路と、前記給湯タンクに給水する給水管と、前記給湯タンクから給湯する給湯管とを有するヒートポンプ給湯機において、
前記給水管は前記給湯タンクの入口側と前記水加熱器の入口側とに分岐して接続され、
前記給湯管は前記給湯タンクの出口側と前記水加熱器の出口側とに分岐して接続され、
前記給湯タンクからの給湯と前記水加熱器からの給湯とを切換える弁と、前記給湯管から出湯端末への流量が検知されたときに前記圧縮機を起動して前記ヒートポンプ回路の運転を始めるように制御する制御装置とを設け、
前記水熱交換器は、前記循環ポンプによる水が流れるパイプと前記圧縮機からの冷媒が流れるパイプとを熱的に接触した螺旋状の円筒状であり、前記給湯タンクを囲むように設置し、
前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、
前記ヒートポンプ回路及び前記水循環回路を一つの箱体内に収納したことを特徴とするヒートポンプ給湯機。
【請求項２】
請求項１において、前記円筒状の水熱交換器と前記給湯タンクとの間に断熱材を介在させたことを特徴とするヒートポンプ給湯機。
【請求項３】
請求項１において、前記円筒状の水熱交換器と前記給湯タンクとの間に断熱材を介在させると共に、円筒状に形成した前記水熱交換器及び前記給湯タンクの周囲を断熱材で覆ったことを特徴とするヒートポンプ給湯機。
【請求項４】
請求項１から３の何れかにおいて、前記水加熱器の出口側温度を検出する温度センサーを設けると共に、前記温度センサーの検出温度に基づいて前記弁を動作させ前記給湯タンクによる給湯から前記水加熱器による給湯に切換えるように制御する制御装置を設けたことを特徴とするヒートポンプ給湯機。
【請求項５】
圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる第１の循環ポンプ、及び前記第１の循環ポンプで循環される水が流れる前記水熱交換器のパイプで構成された第１の水加熱器を水配管で接続して構成する第１の水循環回路と、風呂水を循環する第２の循環ポンプと、その第２の循環ポンプで循環される風呂水が流れる前記水熱交換器のパイプで構成された第２の水加熱器と、その第２の水加熱器から風呂に風呂水を戻す戻り管とを水配管で接続して構成する第２の水循環回路と、前記給湯タンクに給水する給水管と、前記給湯タンクから給湯する給湯管と、を有するヒートポンプ給湯機において、
前記給水管は前記給湯タンクの入口側と前記第１の水加熱器の入口側とに分岐して接続され、
前記給湯管は前記給湯タンクの出口側と前記第１の水加熱器の出口側とに分岐して接続され、
前記給湯タンクからの給湯と前記第１の水加熱器からの給湯とを切換える弁と、前記給湯管から出湯端末への流量が検知されたときに前記圧縮機を起動して前記ヒートポンプ回路の運転を始めるように制御する制御装置とを設け、
前記水熱交換器は、前記第１の水加熱器の水が流れるパイプと前記第２の水加熱器の水が流れるパイプと前記圧縮機からの冷媒が流れるパイプとを熱的に接触した螺旋状の円筒状であり、
前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、
前記ヒートポンプ回路、前記第１の水循環回路及び第２の水循環回路を一つの箱体内に収納したことを特徴とするヒートポンプ給湯機。
【発明の詳細な説明】
【０００１】
【発明の属する技術分野】
本発明は、ヒートポンプ給湯機に係り、特に給湯タンク及び水熱交換器を備えるヒートポンプ給湯機に好適なものである。
【０００２】
【従来の技術】
従来の給湯機には貯湯槽を持たずにガス等を燃焼させて、その強力な燃焼熱で瞬間的に水を沸き上げて湯を供給する燃焼式給湯機や、大容量の貯湯槽を持ち夜間割引の安い電力を利用して、夜の間に電気ヒーターで加熱した大量の湯を貯湯槽に貯蔵し、日中に貯湯槽に貯蔵した湯を使う電気温水器等があった。そして、最近では電気温水器に比較してエネルギー効率が良いと云われるヒートポンプ給湯機が普及し始めてきた。
【０００３】
ヒートポンプ給湯機は、熱源に冷媒の状態変化を利用しているので、電気ヒーター加熱よりエネルギー効率が数倍良く、またガス等を燃焼しないのでＣＯ２を排出せず地球環境にやさしい給湯機と云われている。しかし、ガス等を燃焼したときのように強力な熱量がないため、電気温水器と同様に大容量の貯湯槽を設け、夜間の安価な電力を使って夜中にヒートポンプ回路で湯を沸き上げて貯湯槽に貯蔵し、貯蔵した湯を日中に使うものが一般的であった。すなわち、従来のヒートポンプ給湯機ではヒートポンプ回路と、ヒートポンプ回路で加熱した大量の湯を貯蔵しておく貯湯槽をそれぞれ別個の装置として設け、両装置の間を配管等で接続して給湯機として機能させていた。
【０００４】
係る従来のヒートポンプ給湯機としては、特開平９−１２６５４７号公報に開示されるものがあり、これを図６を示して説明する。
【０００５】
ヒートポンプ給湯機は、圧縮機１０１、凝縮器１０２、減圧装置１０３、蒸発器１０４から構成されたヒートポンプ回路と、大容量の貯湯槽１０５とを別個の装置として設けると共に、貯湯槽１０５の下部から循環ポンプ１１２を介してヒートポンプ回路の凝縮器１０２と熱交換的に配置した水熱交換器１１３に水配管を接続し、水熱交換器１１３の出口と貯湯槽１０５の上部に温水配管を接続して沸き上げ回路を設けている。
【０００６】
そして、このヒートポンプ給湯機は、夜間の安価な電力を利用してエネルギー効率の良いヒートポンプ回路を運転し、貯湯槽１０５内の水を循環ポンプ１１２で循環させながら水熱交換器１１３で所定の湯温になるまで徐々に温め、所定の湯温に達したことを温度検知器１１４で検知してヒートポンプ回路の運転を停止するようにしている。日中、使用端末で湯を使用する際にはミキシングバルブ１１７で水道水と混合して適当な温度に薄めて供給する。貯湯槽１０５に貯蔵する湯の温度をできるだけ高くすることにより、薄める水道水の量を多くし、貯湯槽１０５から取り出す湯の量を少なくするようにしている。
【０００７】
【発明が解決しようとする課題】
従来のヒートポンプ給湯機は、大容量の貯湯槽を有するため、ヒートポンプ回路と水循環回路を収納した箱体に貯湯槽を収納することができず、給湯機本体と貯湯槽の２個のユニットに分割しなければならなかった。これによって、ヒートポンプ給湯機を設置するための充分な広さの設置スペースが必要となっていた。また、貯湯槽の容量一杯に湯を貯めた場合を考えると、その質量は一般的なヒートポンプ給湯機では４００ｋｇを超える重さになるので、設置場所の基礎工事を行なって充分な強度を確保しなければならなかった。さらには、ヒートポンプ給湯機を顧客の設置場所に運搬する際にも２個のユニットを運搬しなければならず、その費用や手間を多く要するものであった。
【０００８】
そして、従来のヒートポンプ給湯機は、夜間の安い電気料金を利用するように夜中にヒートポンプ回路を運転し、高温の湯にして貯湯槽に貯えておき、日中にヒートポンプ回路を運転しないで貯湯槽に貯まっている湯を使用するという使い方をしている。このため、時には貯湯槽の湯を使いきってしまい、直ぐに沸き上げることができず湯切れを起こすことがあった。また、外気温度より温度の高い大量の湯を貯蔵しておくため、貯湯槽の大きな表面から熱が放射されてエネルギーの無駄使いになり、それによって温度が下がる分を夜間に余裕を持って温めておく必要があった。
【０００９】
本発明の目的は、小型及び軽量で輸送性及び据付け性に優れ、湯切れを起こすことなくエネルギー効率に優れた給湯が可能なヒートポンプ給湯機を提供することにある。
【００１０】
本発明の別の目的は、風呂水の追い炊きを可能としつつ、小型及び軽量で輸送性及び据付け性に優れ、湯切れを起こすことなくエネルギー効率に優れた給湯が可能なヒートポンプ給湯機を提供することにある。
【００１１】
【課題を解決するための手段】
前記目的を達成するために、本発明は、圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる循環ポンプ、及び前記循環ポンプで循環される水が流れる前記水熱交換器のパイプで構成された水加熱器を水配管で接続して構成する水循環回路と、前記給湯タンクに給水する給水管と、前記給湯タンクから給湯する給湯管とを有するヒートポンプ給湯機において、前記給水管は前記給湯タンクの入口側と前記水加熱器の入口側とに分岐して接続され、前記給湯管は前記給湯タンクの出口側と前記水加熱器の出口側とに分岐して接続され、前記給湯タンクからの給湯と前記水加熱器からの給湯とを切換える弁と、前記給湯管から出湯端末への流量が検知されたときに前記圧縮機を起動して前記ヒートポンプ回路の運転を始めるように制御する制御装置とを設け、前記水熱交換器は、前記循環ポンプによる水が流れるパイプと前記圧縮機からの冷媒が流れるパイプとを熱的に接触した螺旋状の円筒状であり、前記給湯タンクを囲むように設置し、前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、前記ヒートポンプ回路及び前記水循環回路を一つの箱体内に収納したことにある。
【００１２】
前記別の目的を達成するために、本発明は、圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる第１の循環ポンプ、及び前記第１の循環ポンプで循環される水が流れる前記水熱交換器のパイプで構成された第１の水加熱器を水配管で接続して構成する第１の水循環回路と、風呂水を循環する第２の循環ポンプと、その第２の循環ポンプで循環される風呂水が流れる前記水熱交換器のパイプで構成された第２の水加熱器と、その第２の水加熱器から風呂に風呂水を戻す戻り管とを水配管で接続して構成する第２の水循環回路と、前記給湯タンクに給水する給水管と、前記給湯タンクから給湯する給湯管と、を有するヒートポンプ給湯機において、前記給水管は前記給湯タンクの入口側と前記第１の水加熱器の入口側とに分岐して接続され、前記給湯管は前記給湯タンクの出口側と前記第１の水加熱器の出口側とに分岐して接続され、前記給湯タンクからの給湯と前記第１の水加熱器からの給湯とを切換える弁と、前記給湯管から出湯端末への流量が検知されたときに前記圧縮機を起動して前記ヒートポンプ回路の運転を始めるように制御する制御装置とを設け、前記水熱交換器は、前記第１の水加熱器の水が流れるパイプと前記第２の水加熱器の水が流れるパイプと前記圧縮機からの冷媒が流れるパイプとを熱的に接触した螺旋状の円筒状であり、前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、前記ヒートポンプ回路、前記第１の水循環回路及び第２の水循環回路を一つの箱体内に収納したことにある。
【００１３】
【発明の実施の形態】
以下、本発明の複数の実施例を図に基づいて説明する。
【００１４】
まず、本発明の第１実施例を図１から図４を参照しながら説明する。
【００１５】
図１において、ヒートポンプ回路１０は、圧縮機１、冷媒を凝縮させる凝縮器３、レシーバー４、減圧装置５、蒸発器６、アキュムレーター７、バイパス弁８を冷媒配管で接続して構成され、その中に冷媒が封入されている。そして、蒸発器６は、凝縮器３で液状に変化した冷媒を蒸発させ、送風機９により通風される外気から熱を吸収するようになっている。
【００１６】
一方、水循環回路２２は、給湯タンク１３、循環弁１４、循環ポンプ１５、水加熱器１１、三方弁１２を水配管で接続して構成されている。
【００１７】
また、ヒートポンプ給湯機への水の供給回路は、水道などに接続された給水管１６、この給水管１６に設けられた給水弁１７、給湯タンク１３に接続された給水管１９、水加熱器１１に接続された給水管１９Ａ、入口側が給水管１６に接続されると共に出口側が給水管１９、１９Ａに接続された三方弁１８を備えて構成されている。換言すれば、給水管１６は、三方弁１８を介して、二つの給水管１９、１９Ａに分岐されて給湯タンク１３及び水加熱器１１に接続されている。従って、三方弁１８は、給水管１６を給湯タンク１３の入口側と水加熱器１１の入口側とに切換え接続するための切換え弁として機能するものである。なお、三方弁１８の代わりに複数の弁を用いて給水管１９、１９Ａとの接続を切換えるようにしてもよい。また、凝縮器３と水加熱器１１とは熱的に接続されて水熱交換器２を構成している。
【００１８】
また、使用端末２８への給湯回路は、水加熱器１１、三方弁１２、給湯管２０、流量計２１を通って給湯される経路と、給湯タンク１３、給湯管２０、流量計２１を通って給湯される経路との２つの経路で構成されている。すなわち、給湯管２０は分岐されて水加熱器１１及び給湯タンク１３に接続されている。また、三方弁１２、１８は、給湯タンク１３からの給湯と水加熱器１１からの給湯とを切換える弁を構成している。
【００１９】
上述した給湯タンク１３、給湯管２０、流量計２１を通って給湯される経路は、ヒートポンプ回路１０の運転を開始した直後において、水加熱器１１からの湯の温度が充分に上がりきらないときに、給湯タンク１３に貯蔵されている高温の湯を補助的に供給する過渡的な経路である。
【００２０】
そして、ヒートポンプ回路１０、給湯タンク１３を含めた水循環回路２２及びその他の機器等が一つの箱体２３の中に組込まれている。
【００２１】
使用端末２８にはキッチン等の蛇口２４、浴室の蛇口２５、浴室のシャワー２６、浴槽２７等があり、給湯管２０及び給水管１６に接続されている。蛇口２４、２５、シャワー２６は、湯と水を混合するミキシングバルブを内蔵している。なお、必要に応じて湯用の端末機器、水用の端末機器等が使用端末２８にそれぞれ付設されることになる。
【００２２】
また、制御装置３０には、給湯管２０の流量を検出する流量計２１の流動センサー２１ｓ、水熱交換器１１の出口側の温度を検出する温度センサー１１ｓ、給湯タンク１３の上部の温度を検出する温度センサー１３ｓ、蒸発器６の温度を検出する温度センサー６ｓ、外気の温度を検出する温度センサー３１が接続され、各センサーからそれぞれの信号が制御装置３０に入力される。制御装置３０は、それらの信号に応じて関連する機器へ制御信号が発信され、ヒートポンプ給湯機の運転状態を制御する。
【００２３】
このような構成において、本実施例のヒートポンプ給湯機は、電気温水器に比較してエネルギー効率が３００〜５００％良いといわれるヒートポンプ回路１０を利用して、水熱交換器２で焚き上げた湯を直接使用端末に供給しようとするものである。
【００２４】
ヒートポンプ給湯機が停止している時、各機器は次のような初期状態に設定されている。すなわち、三方弁１８は給水管１９を経て給湯タンク１３へ水が流れるａ方向に設定され、三方弁１２は給湯タンク１３へ温水が流れるａ方向に設定されていて、給湯タンク１３の温度センサー１３ｓが給湯タンク１３の温度をチェックしている以外、その他の機器は停止状態にある。
【００２５】
そして、使用端末２８で湯が使われて流量計２１が作動すると、流動センサー２１ｓは湯が使われたことを検知して流動信号を制御装置３０に送信する。これを受けて制御装置３０は制御信号を発信して、圧縮機１を起動させてヒートポンプ回路１０の運転を開始し、同時に給水弁１７を開放する。その結果、給水管１６、給水弁１７、三方弁１８、給水管１９を通り、給湯タンク１３の下部から水が供給され、その水圧により給湯タンク１３の上部に貯まっていた高温の湯が給湯管２０に押し出され、流量計２１を通って使用端末２８に供給されることになる。
【００２６】
一方、水加熱器１１、三方弁１２、給湯タンク１３、循環弁１４、循環ポンプ１５で構成される水循環回路２２は循環弁１４が閉じているので、内部の水は循環することなくそれぞれの場所に溜まっている。運転を開始したばかりのヒートポンプ回路１０は、凝縮器３に冷媒を送り込み、水加熱器１１に溜まっている少量の水を加熱してゆく。そして、凝縮器３に送り込まれてくる冷媒の量は時間の経過とともに増加するので、それにしたがって発生する凝縮熱が増加して水熱交換器１１の中に溜まっている少量の水の温度を急激に上昇させてゆく。
【００２７】
水加熱器１１の出口部に設置した温度センサー１１ｓが水加熱器１１の水温が充分に上昇したことを検知すると、制御装置３０は三方弁１２に制御信号を発信して、水加熱器１１で加熱された湯の流れを給湯タンク１３へ流れるａ方向から給湯管２０に流れるｂ方向に切換え、同時に、三方弁１８にも制御信号を発信して、給水管１６から流入する水の流れを給湯タンク１３へ流れるａ方向から水加熱器１１に流れるｂ方向に切換える。これにより水加熱器１１に給水管１６から水が供給されるとともに、水は水加熱器１１で充分に加熱されて湯となり、水加熱器１１から三方弁１２を通って使用端末２８に供給されるようになる。
【００２８】
このように給湯タンク１３から過渡的に給湯し、その後は水加熱器１１から給湯するようにしているので、給湯タンク１３の容量を従来例と比較して格段に小さくすることができる。なお、水加熱器１１に貯溜している水の温度をできるだけ速く上昇させて、給湯タンク１３を使用する過渡的な給湯回路を使用する時間を短縮することが、給湯タンク１３の容量をさらに小さくすることになるので、ヒートポンプ回路１０の能力、特に圧縮機出力を従来一般に用いられている５ＫＷ程度より３倍以上の１５ＫＷ程度（より好ましくは５倍以上の２０ＫＷ程度）に大きくすることが望ましい。
【００２９】
次に、水熱交換器２及び給湯タンク１３とその周辺の詳細を図１から図４を参照しながら説明する。
【００３０】
水熱交換器２は図１に示すよう凝縮器３のパイプと水加熱器１１のパイプを接触させたペアパイプからなる組パイプで構成しており、この組パイプを螺旋状に巻いて円筒状に形成されている。なお、図１では各組パイプ間に隙間を有するように図示されているが、実際は図２に示すように各組パイプの間も熱的に接触して螺旋状に巻いて円筒状に形成している。このように、凝縮器３のパイプと水加熱器１１のパイプが密着しているペアパイプをさらに密着して巻き付けているので、一番外側のパイプを除いて、凝縮器３のパイプの両側に水加熱器１１のパイプがあり、凝縮器３のパイプで行なわれる冷媒の凝縮熱を水加熱器１１のパイプ内の水に効果的に伝達することができるようになる。これによって、水熱交換器２をコンパクトにすることができると共に、凝縮器３と水加熱器１１との熱交換効率を向上することができる。水熱交換器２をコンパクトにしてその表面積が小さくできることによって、水熱交換器２から放射される放射熱を低減することができ、エネルギーの無駄を減らすことができる。
【００３１】
また、必要に応じて、図３のようにペアパイプの層を１段だけでなく、複数段に重ねて構成することにより、水加熱器１１のパイプ内の水は両側の凝縮器３のパイプからだけでなく、周囲の凝縮器３のパイプから凝縮熱を得ることができるようになる。これにより水加熱器１１のパイプ内の水はより速く加熱され、給湯タンク１３を使用した過渡的な給湯時間がさらに短くなるので、給湯タンク１３の容量をさらに小さくすることができる。
【００３２】
なお、凝縮器３のパイプと水加熱器１１のパイプとの間を半田付け、あるいは溶接することにより、伝熱効果をさらに向上することができる。
【００３３】
また、必要に応じて、図４に示すように二重管で水熱交換器２を構成してもよい。この水熱交換器２は、図４（ａ）に示すように、凝縮器３のパイプを径より太い水加熱器１１のパイプの中に挿入した二重管で構成され、図４（ｂ）のように円筒状に巻くことにより形成されたものである。この水熱交換器２によれば、巻き径が大きくなるが、凝縮器３の外側における水加熱器１１のパイプ内の水はより速く加熱され、給湯タンク１３を使用した過渡的な給湯時間がさらに短くなるので、給湯タンク１３の容量をさらに小さくすることができる。
【００３４】
図２に戻って、水熱交換器２のペアパイプは比較的径の細い単管のパイプを接触させて構成しているので、容易に円筒形に巻き上げて水熱交換器２を構成することができる。この水熱交換器２は給湯タンク１３の側面を囲むように設置され、給湯タンク１３との間に断熱材２９Ａが介在されている。また、円筒状に形成した水熱交換器２及び給湯タンク１３の周囲は断熱材２９で覆われている。凝縮器３のパイプから放射する熱や、給湯タンク１３から放射する熱を断熱材２９の中に閉じ込めることにより、水加熱器１１のパイプ内の水の加熱時間を短縮することができると共に、給湯タンク１３内の湯の温度低下を防止することができる。
【００３５】
本実施例の構成で約６０Ｌ程度の小容量の給湯タンク１３をヒートポンプ給湯機の箱体内に収納して実験を行なったところ、実用的に充分な給湯が行なえることが確認できた。
【００３６】
本実施例によれば、ヒートポンプ回路１０の運転を開始する時の過渡期だけ給湯タンク１３内に貯蔵している高温の湯を使用して補助的に使用端末２８に湯を供給し、ヒートポンプ回路１０の安定時には水熱交換器２で焚き上げた湯を直接使用端末２８に供給するので、給湯タンク１３を格段に小さくすることができると共に、湯切れすることなく給湯することができる。
【００３７】
また、小容量の給湯タンク１３をヒートポンプ回路などと共に、ヒートポンプ給湯機本体に内蔵するようにしたことにより、ヒートポンプ給湯機本体一個を運搬し、設置すれば良く、運搬費用、設置工事費、それらにかかる諸経費を低減することができる。さらには、ヒートポンプ給湯機を設置するのに広い設置スペースを必要とせず、また質量も軽いので特に強固な地盤や基礎工事を必要とせず、アパートやマンションのベランダ等にも設置することが可能になる。
【００３８】
また、単管パイプの凝縮器パイプと水加熱器パイプを接触させた組パイプで水熱交換器２を構成し、その組パイプを密着させて円筒形に巻き上げて水熱交換器２を形成しているので、円筒形の径を小さくすることができる。これによって、小さな給湯タンク１３の周囲に設置することができる。
【００３９】
また、給湯タンク１３を小さくすることができるので、給湯タンク１３からの放熱量を低減することができ、熱エネルギーを無駄なく利用することができる。さらには、給湯タンク１３を小さくしたことによって、水熱交換器２を巻き付けた給湯タンク１３全体を小さな断熱材２９で被覆することができるようになり、ヒートポンプ回路１０で加熱した湯をさめ難くし、熱エネルギーを無駄なく利用することができる。
【００４０】
次に、本発明の第２実施例を図５を用いて説明する。この第２実施例は、次に述べる通り第１実施例と相違するものであり、その他の点については第１実施例と基本的には同一である。
【００４１】
この第２実施例では、給湯タンク１３、循環弁１４、第１の循環ポンプ１５、三方弁１２を水配管で接続して構成する第１の水循環回路２２Ａと共に、風呂水を循環する第２の循環ポンプ３２、この第２の循環ポンプ３２で循環される風呂水を凝縮器３と熱交換させる第２の水加熱器３５を、引出し管３３及び戻り管３４からなる水配管で接続して構成する第２の水循環回路２２Ｂとを備えている。
【００４２】
そして、第1の水加熱器１１、第２の水加熱器３５及び凝縮器３から水熱交換器２を構成し、この水熱交換器２を螺旋状に巻いて円筒状に形成すると共に前記給湯タンクを囲むように設置している。具体的には、凝縮器３を形成する凝縮器パイプに第１の水加熱器１１を形成するパイプと第２の水加熱器３５を形成するパイプとを両側から熱的に接触させて組パイプを形成し、この組パイプを螺旋状に巻いて円筒状の水熱交換器２を形成している。
【００４３】
第２の循環ポンプ３２は、利用者が風呂水の追い炊きを必要とする場合に、制御装置３０に追い炊きの設定を行なうことにより、制御装置３０から制御信号が出力されて動作され、引出し管３３を通る風呂水の温度が設定温度になったときに、制御装置３０から制御信号が出力されて停止する。
【００４４】
この第２実施例によれば、第１実施例に簡単な変更を加えるのみで、風呂水の追い炊きを行なうことができる。特に、凝縮器３を形成する凝縮器パイプに第１の水加熱器１１を形成するパイプと第２の水加熱器３５を形成するパイプとを両側から熱的に接触させて組パイプを形成し、この組パイプを螺旋状に巻いて円筒状の水熱交換器２を形成するようにしているので、熱交換効率が良好で、コンパクトな形状とすることができる。
【００４５】
【発明の効果】
上述した実施例の説明から明らかなように、本発明によれば、小型及び軽量で輸送性及び据付け性に優れ、湯切れを起こすことなくエネルギー効率に優れた給湯が可能なヒートポンプ給湯機を得ることができる。
【図面の簡単な説明】
【図１】本発明のヒートポンプ給湯機の第１実施例の構成図である。
【図２】図１の水熱交換器及び給湯タンク部の断面図である。
【図３】図２の変形例１を示す図である。
【図４】図２の変形例２を示す図である。
【図５】本発明のヒートポンプ給湯機の第２実施例の構成図である。
【図６】従来のヒートポンプ給湯機の実施例構成図である。
【符号の説明】
１…圧縮機、２…水熱交換器、３…凝縮器、４…レシーバー、５…減圧装置、６…蒸発器、７…アキュムレーター、８…バイパス弁、９…送風機、１０…ヒートポンプ回路、１１…水加熱器、１２…三方弁、１３…給湯タンク、１４…循環弁、１５…循環ポンプ、１６…給水管、１７…給水弁、１８…三方弁、１９…給水管、２０…給湯管、２１…流量計、２２…水循環回路、２３…外箱、２４…蛇口、２５…蛇口、２６…シャワー、２７…浴槽、２８…使用端末、２９…断熱材、３０…制御装置、３１ｓ…外気温度センサー。
【図１】
0003864378.tif 000002
【図２】
0003864378.tif 000003
【図３】
0003864378.tif 000004
【図４】
0003864378.tif 000005
【図５】
0003864378.tif 000006
【図６】
0003864378.tif 000007